(57)【要約】【課題】現在時刻の再設定の手間を減らす。【解決手段】ワイヤレス送信器３は、電池ＤＣが接続される１対の接続端子３１，３２と、１対の接続端子３１，３２間に接続されるバックアップコンデンサ３３と、電池ＤＣ又はバックアップコンデンサ３３によって駆動し現在時刻を計時する時計機能を有するマイクロコンピュータ３４と、標準時刻電波を受信する電波時計回路部３８とを備える。電波時計回路部３８では、電波時計受信制御回路３８０がアンテナ３８１を介して標準時刻電波を受信し、受信した標準時刻電波に含まれている標準時刻情報をマイクロコンピュータ３４に出力する。マイクロコンピュータ３４は、電波時計回路部３８から標準時刻情報を取得すると、取得した標準時刻情報に基づいて現在時刻を再設定する。【選択図】図１
2008294993.tif 000002
【特許請求の範囲】
【請求項１】
電池によって駆動し、現在時刻が予め設定された時刻になったときに、負荷と接続するワイヤレス受信器に対して前記負荷をオンにさせるためのオン信号をワイヤレス信号によって送信するワイヤレス送信器であって、
前記現在時刻を計時する時計機能を有するマイクロコンピュータと、
前記マイクロコンピュータの現在時刻を再設定させるための電波時計回路と
を備えることを特徴とするワイヤレス送信器。
【請求項２】
前記電池を収納する収納室を有するとともに前記マイクロコンピュータを内蔵する本体と、
前記電波時計回路を内蔵しコネクタにより前記本体と着脱自在である電波時計ユニットと
を備えることを特徴とする請求項１記載のワイヤレス送信器。
【発明の詳細な説明】
【技術分野】
【０００１】
本発明は、負荷と接続するワイヤレス受信器にワイヤレス信号を送信するワイヤレス送信器に関するものである。
【背景技術】
【０００２】
従来のワイヤレス送信器として、現在時刻が予め設定された時刻になったときに、負荷と接続するワイヤレス受信器に対して、負荷をオンにさせるためのオン信号をワイヤレス信号によって送信するものがある。このような従来のワイヤレス送信器の中には、電気配線が不要で使用者が自分の好みの場所に設置できるという点から、電池を装着して駆動するものがある。
【０００３】
上記のように電池で駆動する従来のワイヤレス送信器は、マイクロコンピュータが電池交換時に現在時刻を忘れてしまわないように、バックアップコンデンサを備えている。これにより、ある程度の時間、電池が取り付けられていなくても、マイクロコンピュータは現在時刻を保持させることができる。
【０００４】
なお、特許文献１には、電源の短期間のバックアップを行うコンデンサ又は二次電池と、長期間のバックアップを行う一次電池との２段構成よりなるワイヤレス受信器用のバックアップ電源回路が開示されている。
【特許文献１】実公平７−２１０１４号公報（第３頁右欄第３８〜４８行及び図１）
【発明の開示】
【発明が解決しようとする課題】
【０００５】
しかしながら、従来のワイヤレス送信器には、バックアップコンデンサを備えるものの、上記パックアップコンデンサの電位が短時間で下がってしまうため、電池交換に時間がかかると現在時刻を忘れてしまい、現在時刻を手動で再設定しなければならないという問題があった。
【０００６】
本発明は上記の点に鑑みて為されたものであり、その目的は、現在時刻の再設定の手間を減らすことができるワイヤレス送信器を提供することにある。
【課題を解決するための手段】
【０００７】
請求項１の発明は、電池によって駆動し、現在時刻が予め設定された時刻になったときに、負荷と接続するワイヤレス受信器に対して前記負荷をオンにさせるためのオン信号をワイヤレス信号によって送信するワイヤレス送信器であって、前記現在時刻を計時する時計機能を有するマイクロコンピュータと、前記マイクロコンピュータの現在時刻を再設定させるための電波時計回路とを備えることを特徴とする。
【０００８】
請求項２の発明は、請求項１の発明において、前記電池を収納する収納室を有するとともに前記マイクロコンピュータを内蔵する本体と、前記電波時計回路を内蔵しコネクタにより前記本体と着脱自在である電波時計ユニットとを備えることを特徴とする。
【発明の効果】
【０００９】
請求項１によれば、電波時計回路を用いて現在時刻を自動で再設定することができるので、手動で再設定する場合に比べて、現在時刻の再設定の手間を減らすことができる。
【００１０】
請求項２によれば、複数のワイヤレス送信器のマイクロコンピュータに対し、電波時計回路を内蔵する電波時計ユニットを共有することができるので、ワイヤレス送信器ごとに電波時計回路を内蔵する場合に比べて、コストの上昇を抑えることができる。
【発明を実施するための最良の形態】
【００１１】
（実施形態１）
まず、本発明の実施形態の構成について図１，２を用いて説明する。本実施形態の負荷制御システム１は、図２に示すように、照明負荷Ｌ及び電源ＡＣと接続するワイヤレス受信器２と、ワイヤレス受信器２に赤外線信号（ワイヤレス信号）を送信するワイヤレス送信器３とを備えている。なお、負荷としては照明負荷Ｌ以外のもの（例えば換気扇など）であってもよい。
【００１２】
ワイヤレス受信器２は、ワイヤレス送信器３から照明負荷Ｌをオンにさせるためのオン信号を赤外線信号によって受信すると、電源ＡＣから照明負荷Ｌへの給電路を開閉し、照明負荷Ｌのオンオフを制御する。
【００１３】
続いて、ワイヤレス送信器３の機構的構成について図３を用いて説明する。ワイヤレス送信器３は、器体４０と、器体４０の上部に設けられ赤外線を透過させる赤外線透過部４１と、器体４０の前面の左方に枢支され右方で回動自在となる操作ハンドル４２と、操作ハンドル４２の左方に枢支され右方で開閉自在となるハンドルカバー４３とを備えている。
【００１４】
器体４０は合成樹脂によって形成されたものであり、ワイヤレス送信器３の回路を構成する電子部品を実装したプリント配線板（図示せず）が収納されている。また、器体４０の上部には、後述の発光ダイオード３００（図１参照）が複数個収納されている。
【００１５】
赤外線透過部４１は、器体４０に収納されている発光ダイオード３００が発する赤外線を外部に透過させる。
【００１６】
操作ハンドル４２は合成樹脂で矩形状に形成されたものであり、左側部の背面に設けられた軸受部（図示せず）が器体４０の前面に設けられた軸部（図示せず）に回動自在に枢支されることによって、器体４０の前面の左側で回動自在に軸支される。つまり、操作ハンドル４２は、左側端部を支点として前後方向に回動自在に器体４０に取り付けられ、前方から押操作されることを可能とする。また、操作ハンドル４２のうちハンドルカバー４３で覆われる部分には、後述の設定部３５（図１参照）を構成する複数のスイッチの押釦３５０，・・・が操作ハンドル４２から露出している。
【００１７】
次に、ワイヤレス送信器３の回路的構成について図１を用いて説明する。ワイヤレス送信器３は、ワイヤレス受信器２に対して照明負荷Ｌをオンにさせるためのオン信号を赤外線信号によって送信する送信部３０と、電池ＤＣが接続される１対の接続端子３１，３２と、１対の接続端子３１，３２間に接続されるバックアップコンデンサ３３と、電池ＤＣ又はバックアップコンデンサ３３によって駆動し現在時刻を計時する時計機能を有するマイクロコンピュータ３４と、照明負荷Ｌの動作保持時間を設定するための設定部３５と、照明負荷Ｌをオン（点灯）にするときに操作ハンドル４２及びハンドルカバー４３（図３参照）を介して押操作される操作部３６と、例えば液晶画面などであって操作ハンドル４２から露出するように器体４０（図３参照）に設けられ現在時刻を表示する時刻表示部３７と、標準時刻電波を受信する電波時計回路部３８とを備え、電池ＤＣによって駆動する。
【００１８】
送信部３０は、赤外線を発光するワイヤレス信号送信用の発光ダイオード３００，３００を複数備えている。この送信部３０は、発光ダイオード３００，３００を発光させることによって、オン信号を赤外線信号によってワイヤレス受信器２（図２参照）に送信する。
【００１９】
設定部３５は、使用者による押釦３５０（図３参照）への押操作によって、動作保持時間の開始時刻（点灯開始時刻）と終了時刻（消灯時刻）を設定する。設定部３５で設定された内容は、マイクロコンピュータ３４に出力される。
【００２０】
操作部３６は、操作ハンドル４２（図３参照）によって押操作される押釦（図示せず）を有するタクトスイッチであり、押釦が押操作されたときに操作信号をマイクロコンピュータ３４に出力する。
【００２１】
電波時計回路部３８は、電波時計受信制御回路３８０と、器体４０（図３参照）の前面中央に設けられたアンテナ３８１とを備えている。電波時計受信制御回路３８０はアンテナ３８１を介して標準時刻電波を受信し、受信した標準時刻電波に含まれている標準時刻情報をマイクロコンピュータ３４に出力し、マイクロコンピュータ３４の現在時刻を再設定させる。
【００２２】
マイクロコンピュータ３４は電源ＩＣ３４０から電源が供給されて動作するものであり、全ての機能を行うことを可能とする通常モードと、時計機能を維持して動作させるものの、少なくとも送信部３０へのワイヤレス信号の送信制御などを停止して、ワイヤレス送信器３の消費電力を低くする低消費電力モードとを有している。また、マイクロコンピュータ３４には、マイクロコンピュータ３４の動作をリセットするためのリセットＩＣ３４１が接続されている。
【００２３】
通常モードにおいて、マイクロコンピュータ３４は、設定部３５から動作保持時間の開始時刻及び終了時刻を事前に取得し、現在時刻が開始時刻になったときに、ワイヤレス受信器２（図２参照）に向けてオン信号を送信するように送信部３０を制御する。操作部３６から操作信号を取得した場合も、マイクロコンピュータ３４は、ワイヤレス受信器２に向けてオン信号を送信するように送信部３０を制御する。
【００２４】
また、マイクロコンピュータ３４は、電波時計回路部３８から標準時刻情報を取得すると、取得した標準時刻情報に基づいて現在時刻を再設定する。
【００２５】
以上、本実施形態によれば、電波時計回路部３８を用いて現在時刻を自動で再設定することができるので、手動で再設定する場合に比べて、現在時刻の再設定の手間を減らすことができる。
【００２６】
（実施形態２）
実施形態２のワイヤレス送信器３は、電池ＤＣを収納する収納室を有するとともにマイクロコンピュータ３４を内蔵する本体と、電波時計回路部３８を内蔵しコネクタにより本体と着脱自在である電波時計ユニットとを備える点で、実施形態１と相違している。なお、実施形態１のワイヤレス送信器３はマイクロコンピュータ３４及び電波時計回路部３８を一体に備えるものである。
【００２７】
以上、本実施形態によれば、複数のワイヤレス送信器３のマイクロコンピュータ３４に対し、電波時計回路部３８を内蔵する電波時計ユニットを共有することができるので、ワイヤレス送信器３ごとに電波時計回路部３８を内蔵する場合に比べて、コストの上昇を抑えることができる。
【図面の簡単な説明】
【００２８】
【図１】実施形態１，２のワイヤレス送信器のブロック図である。
【図２】同上の負荷制御システムの構成図である。
【図３】同上のワイヤレス送信器の外観図である。
【符号の説明】
【００２９】
１  負荷制御システム
２  ワイヤレス受信器
３  ワイヤレス送信器
３１，３２  接続端子
３３  バックアップコンデンサ
３４  マイクロコンピュータ
３８  電波時計回路部
３８０  電波時計受信制御回路
３８１  アンテナ
ＤＣ  電池
【図１】
2008294993.tif 000003
【図２】
2008294993.tif 000004
【図３】
2008294993.tif 000005